(57)【要約】 【課題】  流体導管と配線を一体化する場合にシール性の向上と作業効率のアップを同時に図ることのできる血圧測定装置の提供。【解決手段】  カフ装着部と装置本体とが別構成される血圧測定装置において、血圧測定装置脈波信号を血圧測定制御手段に送るために、脈波検出手段と血圧測定制御手段との間に接続される配線５、５を、流体導管４の外周面においてその長手方向に沿うように敷設し、かつ配線と配管とを、伸縮性を有する被覆部材９で被覆して一体化する。【選択図】図２
2006288578.tif 000002
【特許請求の範囲】
【請求項１】
カフ装着部と装置本体とが別構成される血圧測定装置であって、
マイクロフォンまたは光電センサを内蔵するカフと、電子回路，ポンプ手段等を備えた本体部と、前記カフと前記本体部を接続する接続部を備え、
前記接続部は、カフを加圧／減圧するための流体用導管及び信号線で形成され、
前記配線を、前記流体用導管の外周面においてその長手方向に沿うように敷設し、かつ前記配線と前記流体用導管とを、伸縮性を有する被覆部材で被覆して一体化することを特徴とする血圧測定装置。
【請求項２】
前記脈波検出手段は、血管内を流れる血液による光の吸収および反射から得られる信号を得る発光素子と受光素子とからなる光学式であって、前記配線は、前記発光素子と前記受光素子の夫々から接続される撚り線であり、
前記配管は、シリコンラバー、天然ゴム、所定の合成樹脂を含む弾性材料を用いて成形され、
前記被覆部材は、所定番手を有する繊維体から網目状に形成されることを特徴とする請求項１に記載の血圧測定装置。
【請求項３】
前記被覆部材に対して耐ノイズ性向上のための金属塗膜処理を施したことを特徴とする請求項１または２に記載の血圧測定装置。
【発明の詳細な説明】
【技術分野】
【０００１】
本発明は、血圧測定装置に係り、特に携帯型の血圧測定装置に関する。
【背景技術】
【０００２】
血圧は、外部環境や内部環境の変化に応じて刻々変動している。このため、一拍一拍を連続的に記録できれば理想的となるが、たとえ連続的に記録できなくても、１日における血圧を定期的（間欠的）に連続測定して血圧の経時変化を測定することにより、健康管理を行うことも重要である。
【０００３】
従来の血圧測定装置で定期的に血圧を測定する場合には、例えば、被験者の上腕にカフを巻いて血圧を測定することになる。この場合には、上腕を覆う大きなサイズのカフと、このカフに接続される血圧測定装置の本体とを身体に装着する必要がある。このため、被験者は、カフを上腕に装着し、このカフに接続される血圧測定装置の本体とを身体に装着した状態で日常生活を送る必要があるが、これでは日常生活における支障が大きい。また被験者は圧力測定のたびに上腕が圧迫されて痛みを感じるなどの負担をしいられる場合もある。
【０００４】
このような問題を解決するために、上腕で血圧を測定する替わりに指に小型のカフを巻いた状態で血圧測定する測定方法がある。この測定方法は、上腕に比べて指の大きさが小さいのでカフおよび本体も小型化することができる（非特許文献１）。さらに、耳たぶにカフを装着し、耳たぶを圧迫することにより脈波を測定する方法がある（特許文献１）。
【０００５】
このように耳たぶを被検出部とする方法によれば、上腕にカフを装着して血圧を測定する血圧計よりもカフおよび本体を小型化することができ、被験者の負担も軽減できることとなる。
【非特許文献１】栃久保修、”血圧の測定法と臨床評価”、株式会社メディカルトリビューン、１９８８年発行、５９〜６１頁
【特許文献１】特開２００５−６９０６号公報
【発明の開示】
【発明が解決しようとする課題】
【０００６】
しかしながら、上記のように耳たぶで脈波や血圧を測定するとしても、耳たぶの血管は非常に細く、安定的及び正確に血圧を測定することは困難である。特に耳たぶの血管は外気温が低くなると収縮してしまい、なおさら安定的な測定は困難となる。
【０００７】
そこで、耳たぶに比べて血管の太い側頭動脈等に対してカフを装着し、このカフをヘッドバンド等で固定して血圧等を測定すれば、比較的に上腕部に近い血圧が安定的に測定できるようになると考えられる。
【０００８】
一方、装着されるカフは、脈波検出手段と加減圧手段と血圧測定制御手段等の電子回路を内蔵した装置本体との間で流体用導管と配線を介して接続されることで、例えば装置本体を使用者の胸ポケット内に収容した状態で使用できるようになる。
【０００９】
流体用導管は空気を含む流体の流路となる中空部が形成されているので、この中空部に配線を通すことで、配線が外部に露出しないように構成することができる。
【００１０】
しかしながら、このように構成すると配線を流体用導管の外部に引き出す部位のシール部分が必要となるので、シール性の確保が困難となり、長期に渡る耐久性に問題を残す。また組み付け作業上も支障を来たすことになる。
【００１１】
したがって、本発明はこのような状況に鑑みてなされたものであり、流体用導管と配線を一体化する場合にシール性の向上と作業効率のアップを同時に図ることのできる血圧測定装置の提供を目的としている。加えて、耐ノイズ性を向上することを目的としている。
【課題を解決するための手段】
【００１２】
上述した課題を解決し、目的を達成するために、本発明の血圧測定装置によれば、カフ装着部と装置本体とが別構成される血圧測定装置であって、マイクロフォンまたは光電センサを内蔵するカフと、電子回路，ポンプ手段等を備えた本体部と、カフと前記本体部を接続する接続部を備え、接続部は、カフを加圧／減圧するための流体用導管及び信号線で形成され、配線を、流体用導管の外周面においてその長手方向に沿うように敷設し、かつ配線と流体用導管とを、伸縮性を有する被覆部材で被覆して一体化することを特徴とする。
【００１３】
また、脈波検出手段は、血管内を流れる血液による光の吸収および反射から得られる信号を得る発光素子と受光素子とからなる光学式であって、配線は、発光素子と前記受光素子の夫々から接続される撚り線であり、流体用導管は、シリコンラバー、天然ゴム、所定の合成樹脂を含む弾性材料を用いて成形され、被覆部材は、所定番手を有する繊維体から網目状に形成されることを特徴としている。
【００１４】
また、被覆部材に対して耐ノイズ性向上のための金属塗膜処理を施したことを特徴としている。
【００１５】
そして、脈波検出手段と加減圧手段と血圧測定制御手段とを装置本体に内蔵し、内側カフと外側カフを保持した保持手段との間を、一体化された流体用導管と配線とにより接続したことを特徴としている。
【発明の効果】
【００１６】
本発明によれば、シール部分を設けることなく、流体用導管から電気配線を容易に引き出すことができる。また、耐ノイズ性も向上できる。
【発明を実施するための最良の形態】
【００１７】
＜光電容積脈波血圧計の回路構成＞
図１は、携帯型光電容積脈波血圧計として構成した場合の装置本体内における動作回路１００の構成を示すブロック図である。図において、頭部の適所である側頭動脈，耳介等に装着される装着部３の内側カフ（組立体）６の内部には、光電センサ（脈波センサ）を構成する発光素子であるＬＥＤ２０と受光素子であるフォトトランジスタ２１が含まれている。流体用導管４は前述の通り、ゴム管（エアチューブ）であり、内側カフ６内への空気の流路をなす。圧力ポンプ１０８は電動小型モータを駆動源としており、コンデンサータンク１０７中に圧縮空気を送り、整流後に内側カフ組立体６内に圧力空気を送り込む。また、流体用導管４から分岐接続される急排弁１０４は不図示の電磁弁機構が設けられており、内側カフ組立体６内の圧力を急速に減少させる。さらに同様に分岐接続される微排弁１０５は、内側カフ組立体６内の圧力を一定速度（例えば２〜３ｍｍＨｇ／ｓｅｃ）で減少させる。また、流体用導管４から分岐接続される圧力センサ１０６は、カフ６内の圧力に応じて電気的パラメータを変化させる。この圧力センサ１０６に接続される圧力検出アンプ（ＡＭＰ）１０７は、圧力センサ１０６の電気的パラメータを検出し、これを電気的信号に変換し、かつ増幅してアナログのカフ圧信号Ｐを出力する。
【００１８】
上記のＬＥＤ２０は脈動する血管血流に対して光を照射し、フォトトランジスタ２１は該血管血流による反射光を検出する。配線５を介して接続されるフィルタＡＭＰ１０９は脈波検出アンプであり、フォトトランジスタ２１の出力信号を増幅してアナログの脈波信号Ｍを出力する。ここで、ＬＥＤ２０には配線５を介して光量を自動的に変化させる光量制御部１１８が接続される一方で、脈波検出アンプ１０９には、ゲインを自動的に変化させるゲイン制御部１１９ａと、脈波検出フィルタ・アンプ１０９を構成するフィルタアンプ（図示せず）の時定数を変化させる時定数制御部１１９ｂとが接続されている。また、図示のように接続されるＡ／Ｄ変換器（Ａ／Ｄ）１１０は、アナログ信号Ｍ、ＰをデジタルデータＤに変換する。
【００１９】
制御部（ＣＰＵ）１１１は、光電容積脈波血圧計の主制御を行う。このＣＰＵ１１１は調整圧力を記憶する調整圧力レジスタ１１１ａを有している。
【００２０】
ＲＯＭ１１２は、ＣＰＵ１１１が実行する後述の制御プログラムを格納している。ＲＡＭ１１３は、データメモリや画像メモリ等を備えている。液晶表示器（ＬＣＤ）１１４は、画像メモリの内容を表示する。操作部１１６は、使用者の操作により測定開始指令や調整圧力値の設定等を行うときに使用される。ブザー１１５は、使用者に対して装置が操作部１１６内のキーの押し下げを感知したことや測定終了等を知らせる。尚、本例では、ＣＰＵ１１１に調整圧力レジスタ１１１ａを設けたが、ＲＡＭ１１３に調整圧力記憶部を設けてもよい。
【００２１】
また、ＬＣＤの表示パネル１４は、ドットマトリックス方式の表示パネルを使用しており、従って多様な情報（例えば文字、図形、信号波形等）を表示できる。また操作部１１６は測定開始スイッチ（ＳＴ）とカフの圧力値等を入力するためのキーを有している。また、バッテリーを交換自在にした電源部１２１と不図示の電源スイッチがさらに設けられている。
【００２２】
さらに、装置本体は不図示のコネクタまたは携帯電話に接続される外部通信部が設けられており、パソコンに対して接続することでパソコンの動作制御パラメータ設定部、データクリア部、データ保存部との間で各種データのやり取り及び血圧測定結果の保存をできるようにしている。
【００２３】
＜流体導管と配線の一体化構成＞
流体導管４と配線（電気配線）５とは個別(並列)に設けると使用上において相互に絡まったりして不都合となる。一方で、流体導管配管４は空気を含む流体の流路となる中空部が長手方向に沿って形成されているので、この中空部に配線５を通すことで、配線５が外部に露出しないように構成することができる。しかし、このように構成すると配線５を流体導管４の外部に引き出す部位において気密性を確保するためのシール部分が必要となるが、流体導管４は自由に曲げられるのでシール性の確保が困難となり、長期に渡る耐久性に問題を残す。また、組み付け作業上も支障をきたすことになる。
【００２４】
そこで、流体導管４と配線５とを一体化する場合に、シール性の向上と作業効率のアップを同時に図ることのできるよう、図２に図示される外観斜視図のように配線５、５を流体導管４の外周面においてその長手方向に沿うように敷設し、かつ配線５、５と流体導管４とを、伸縮性を有する被覆部材９で被覆して一体化している。
【００２５】
具体的には、発光素子２０と受光素子２１に夫々接続される配線５は、発光素子２０と受光素子２１の夫々から接続される撚り線５ａ、５ｂであり、流体導管４は、シリコンラバー、天然ゴム、所定の合成樹脂を含む弾性材料を用いて図示のような中空状に成形され、被覆部材９は、所定番手を有する繊維体から網目状に形成される。また、必要に応じて被覆部材９に対して耐ノイズ性向上のための金属塗膜処理を施し、さらに不図示のカバーを被せて構成される。
【００２６】
以上のように流体導管４と配線５とを一体化した場合には、自由に曲げることが可能となり、流体導管４が折れ曲がったりすることを防止できる。さらに、配線５は流体導管４の外周面から直接引き出すことが可能になるのでシール部材は一切不要になる。また、被覆部材９に金属処理を施した場合には、さらに耐ノイズ性を向上することができる。なお、コロトコフ音方式の血圧測定装置の場合、発光素子２０と受光素子２１に変えて内側カフ６内にマイクロフォンを設けることになる。
【００２７】
上記説明したように、頭の適所(耳介及びその近傍)を測定部位として定期的にかつ一定時間ごとに血圧測定する場合において、安定した高精度の血圧測定を行えるようになる。
【図面の簡単な説明】
【００２８】
【図１】本発明の血圧測定装置の構成例を示すブロック図である。
【図２】配線と流体導管を一体化した様子を示す外観斜視図である。
【符号の説明】
【００２９】
４  流体導管
５  配線（信号・電源線）
６  内側カフ組立体
９  被覆部材
【図１】
2006288578.tif 000003
【図２】
2006288578.tif 000004